(57)【要約】【課題】搬送波周波数のデジタル放送信号に含まれる複数チャネルのサービス情報を容易に選択する。【解決手段】チューナによって受信した或る１つの搬送波周波数に含まれるデジタル放送の複数の各チャネル毎のサービス情報ＳＩを、サービス情報抽出手段によって抽出し、メモリにプリセットしてストアしておく。操作者は、メモリにプリセットされたサービス情報を選択して、番組を取得することができる。チューナは受信可能な全ての周波数帯域にわたって、各搬送波周波数を自動的に走査してオートプリセットする機能を備えてもよい。放送時間が不定期である臨時サービス情報は、操作入力手段の操作によってメモリにストアされるように構成する。臨時サービス情報が放送されなくなったとき、メモリのストア内容から、その臨時サービス情報が消去される。【選択図】　　　図１
2004120115.tif 000002
【特許請求の範囲】
【請求項１】
搬送波周波数に複数チャネルが符号化されたデジタル放送信号を受信するチューナと、
このチューナで受信されたデジタル放送信号を復号化して出力するデコード手段とを含むデジタル放送受信装置において、
デジタル放送信号は、各チャネル毎の番組に関するサービス情報を含み、
デジタル放送信号の各チャネル毎のサービス情報を抽出するサービス情報抽出手段と、
サービス情報抽出手段によって抽出されたサービス情報をストアするメモリとを含むことを特徴とするデジタル放送受信装置。
【請求項２】
チューナは、
デジタル放送信号の搬送波周波数を走査して、複数の各搬送波周波数のデジタル放送信号を受信し、
メモリへのストアの終了後、次に受信すべき搬送波周波数を変化して引き続き走査することを特徴とする請求項１記載のデジタル放送受信装置。
【請求項３】
サービス情報に関するテレビジョン放送、ラジオ放送、およびデータ放送のうちの１つの放送を選択する放送選択手段と、
放送選択手段によって選択された１つの種類のサービス情報をメモリにストアする手段とを含むことを特徴とする請求項１または２記載のデジタル放送受信装置。
【請求項４】
放送時間が不定期である臨時サービス情報を選択する臨時選択手段と、
臨時選択手段によって選択された臨時サービス情報をメモリにストアするか否かを選択するストア選択手段と、
ストア選択手段によってストアすべきことが選択されたとき、臨時サービス情報をメモリにストアする手段とを含むことを特徴とする請求項１〜３のうちの１つに記載のデジタル放送受信装置。
【請求項５】
臨時サービス情報が受信されているか否かを検出する臨時受信検出手段と、
臨時受信検出手段によって臨時サービス情報が受信されなくなったとき、メモリにストアされている臨時サービス情報を消去する手段とを含むことを特徴とする請求項４記載のデジタル放送受信装置。
【請求項６】
メモリにストアされたサービスを選択するサービス選択手段と、
サービス選択手段の出力に応答し、その選択されたサービスが出力されるように、チューナまたはデコード手段の少なくとも１つを制御する手段とを含むことを特徴とする請求項１〜５のうちの１つに記載のデジタル放送受信装置。
【発明の詳細な説明】
【０００１】
【発明の属する技術分野】
本発明は、地上放送または衛星放送などのデジタル放送信号を受信するデジタル放送受信装置に関する。
【０００２】
【従来の技術】
典型的な先行技術では、図１４に示されるように、或る搬送波周波数を１つのチャネルＣＨとして、チャネル単位でメモリにそのチャネルに関するサービス情報をストアするように構成される。搬送波周波数をチャネルのプリセット方式で選択することによって、そのチャネルを決定することができ、所望のチャネルのテレビジョン放送、ラジオ放送などの視聴が可能になる。このような先行技術としては、特許文献１がある。
【０００３】
このような先行技術では、１つの搬送波周波数に複数のチャネルが含まれるデジタル放送信号では、搬送波周波数によってプリセットしても、希望するチャネルの番組を選択して聴取することができない。
【０００４】
【特許文献１】
特開２０００−２８７１４３
【０００５】
【発明が解決しようとする課題】
本発明の目的は、搬送波周波数に含まれる複数のチャネルの番組を選択的に取得することができるようにしたデジタル放送受信装置を提供することである。
【０００６】
【課題を解決するための手段】
本発明は、搬送波周波数に複数チャネルが符号化されたデジタル放送信号を受信するチューナと、
このチューナで受信されたデジタル放送信号を復号化して出力するデコード手段とを含むデジタル放送受信装置において、
デジタル放送信号は、各チャネル毎の番組に関するサービス情報を含み、
デジタル放送信号の各チャネル毎のサービス情報を抽出するサービス情報抽出手段と、
サービス情報抽出手段によって抽出されたサービス情報をストアするメモリとを含むことを特徴とするデジタル放送受信装置である。
【０００７】
本発明に従えば、搬送波周波数のデジタル放送信号では、いくつかの番組のデータ・ストリームは、多重化されて多チャネルのデータ・ストリームにされ、単一の搬送波を使って放送局から送信される。デジタル放送信号は、映像データ、音声データがＭＰＥＧ（Ｍ　ｏｖｉｎｇ　Ｐｉｃｔｕｒｅ　Ｅｘｐｅｒｔｓ）圧縮方式で圧縮されて多重化されたデータである。各チャネル毎のトランスポート・ストリーム（Ｔｒａｎｓｐｏｒｔ　Ｓｔｒｅａｍ、略称ＴＳ）形式で、符号化された映像データおよび音声データをパケット化し、ＰＥＳ（Ｐａｃｋｅｔｉｚｅｄ　Ｅｌｅｍｅｎｔａｒｙ　Ｓｔｒｅａｍ）形式で伝送される。ＴＳは、ＭＰＥＧ圧縮方式でデータ圧縮された複数の番組の符号化データを多重化するときのビットストリーム、すなわちデータ列である。ＭＰＥＧ圧縮方式で符号化された映像データ、音声データ、その他の付加データを、ＭＰＥＧ圧縮方式が規定するＴＳを使って多重化される。
【０００８】
データ・ストリームの中に含めるテレテキスト・データ、放送番組の詳細情報を提供するＳＩデータも定められ、誤り訂正は、たとえばリード・ソロモン（略称ＲＳ）符号が用いられる。１つの搬送波周波数で受信することができる。データ放送信号に含まれるＴＳに存在する全てのサービス情報ＳＩ（Ｓｅｒｖｉｃｅ　Ｉｎｆｏｒｍａｔｉｏｎ、略称ＳＩ）を、メモリにプリセットしてストアする。ＳＩは、チャネルの名称、番組の名称、放送日時などの番組情報を含む。ＳＩはまた、番組表（Ｅｌｅｃｔｒｏｎｉｃ　Ｐｒｏｇｒａｍ　Ｇｕｉｄｅ、略称ＥＰＧ）を含む。ＴＳにはまた、プログラム仕様情報（Ｐｒｏｇｒａｍ　Ｓｐｅｃｉｆｉｃ　Ｉｎｆｏｒｍａｔｉｏｎ、略称ＰＳＩ）もまた、含まれる。ＰＳＩは、主に選局（トランスポンダの選択）、選択チャネルに必要な情報を含む。
【０００９】
こうして複数の搬送波周波数のうち、１つの搬送波周波数を選択し、この選択された１つの搬送波周波数に含まれる複数チャネルのうちの１つのチャネルを決定し、こうして所望のチャネルの映像データまたは音声データの取得が、メモリにストアされたサービス情報に基づいて、取得することができるようになる。
【００１０】
また本発明は、チューナは、
デジタル放送信号の搬送波周波数を走査して、複数の各搬送波周波数のデジタル放送信号を受信し、
メモリへのストアの終了後、次に受信すべき搬送波周波数を変化して引き続き走査することを特徴とする。
【００１１】
本発明に従えば、チューナによって、現在受信することができる複数の異なる搬送波周波数について、メモリへの前述のプリセット作業を、自動的に繰返してオートプリセット機能を達成することができる。こうしてチューナで順番に搬送波周波数を走査して変えてゆき、受信可能な搬送波周波数、すなわち受信電界強度が予め定める値以上である搬送波周波数で、複数チャネルのデジタル放送信号を受信し、メモリにサービス情報をストアすることができる。こうしてチューナの受信可能な搬送波周波数の全帯域にわたり、メモリへのＳＩのプリセットが可能となり、したがって操作者による搬送波周波数の設定を行う必要がなく、プリセット作業が容易になる。操作者は、メモリにストアされた番組を選択して、その番組の受信、視聴が容易に可能になる。
【００１２】
また本発明は、サービス情報に関するテレビジョン放送、ラジオ放送、およびデータ放送のうちの１つの放送を選択する放送選択手段と、
放送選択手段によって選択された１つの種類のサービス情報をメモリにストアする手段とを含むことを特徴とする。
【００１３】
本発明に従えば、受信した搬送波周波数のＴＳに存在するサービスのうち、テレビジョン放送、ラジオ放送およびデータ放送のうちの１つの放送のサービス情報を選択してメモリにストアすることができる。こうしてチューナで受信されたデジタル放送信号の中から、ＴＳに存在するサービス、すなわちチャネルについてデータを解析、検索し、ＴＳに存在するサービスに関するデータから、各サービスについて、そのサービスを決定するのに必要であり、テレビジョン放送に関するデータを抽出し、メモリにストアする。
【００１４】
テレビジョン放送に代えて、ラジオ放送の音声サービスに関するデータでもよく、またデータ放送サービスに関するデータであってもよい。こうして希望するテレビジョン放送、ラジオ放送およびデータ放送のうちの１つの放送を選択して、そのサービスのメモリへのプリセットを自動的に行うことができる。
【００１５】
したがって操作のわずらわしさが解消され、操作性が向上される。また、たとえばテレビジョン放送のサービスに関するデータだけをプリセットし、そのほかのラジオ放送およびデータ放送のサービスをメモリにプリセットしないでおくことによって、次回以降でメモリのストア内容から希望するサービスのみを探し出して選択する作業が容易となり、作業性が良好である。サービスというのは、たとえば番組の名称、ジャンルなどであってもよい。
【００１６】
また本発明は、放送時間が不定期である臨時サービス情報を選択する臨時選択手段と、
臨時選択手段によって選択された臨時サービス情報をメモリにストアするか否かを選択するストア選択手段と、
ストア選択手段によってストアすべきことが選択されたとき、臨時サービス情報をメモリにストアする手段とを含むことを特徴とする。
【００１７】
本発明に従えば、１つの搬送波周波数で受信されたデジタル放送信号に含まれる複数のチャネルのうち、ＴＳに存在するサービスから、臨時サービス情報、たとえば臨時テレビジョン放送サービス、臨時音声サービス情報、および臨時データサービス情報の１または複数を選択してメモリにストアし、選択されない残のサービス情報をメモリにストアしないでおく。あるいはまた選択したテレビジョン放送、ラジオ放送、およびデータ放送のうちの１または複数を、メモリにストアしないように構成し、選択されないサービス情報をメモリにストアするように構成してもよい。
【００１８】
臨時のサービス情報というのは、たとえば突発的な事故、災害などが発生したときの臨時ニュースなどであり、放送時間すなわち放送される時刻が不定期である。臨時サービス情報は、たとえば数分または数時間で放送が終了し、サービス情報自体が存在しなくなるので、メモリにストアしてプリセットしておく必要性が低い。したがって押釦などの操作入力手段の操作によって、臨時サービス情報をメモリにストアしないように構成することが、操作性を高めるために、好ましい。こうしてユーザの好みによるメモリへのサービス情報のプリセットのカスタマイズが可能になり、使い勝手がよくなる。
【００１９】
また本発明は、臨時サービス情報が受信されているか否かを検出する臨時受信検出手段と、
臨時受信検出手段によって臨時サービス情報が受信されなくなったとき、メモリにストアされている臨時サービス情報を消去する手段とを含むことを特徴とする。
【００２０】
本発明に従えば、メモリにプリセットされたサービスが放送されなくなった後、そのサービス情報がメモリから消去される。したがって、たとえば臨時サービス情報などがメモリから消去されることによって、使用者が希望するサービス情報を探すことは容易になり、放送されていないサービス情報が表示出力されて使い勝手が低下する恐れをなくすことができる。こうして臨時サービスの後、放送時間が不定期なサービスがメモリにプリセットされていることによって、次回にそのサービス情報を選択したとき放送がなされていないときが生じ、これによって希望するサービス情報を探すとき余計な手間がかかる恐れを解消することができる。
【００２１】
さらに臨時サービスの後であっても、一時的な臨時サービスがＴＳ中に出現する場合がある。そこで臨時サービスのメモリされたサービス情報を読込み、そのデータから該当するサービス情報が放送されているか否かを定期的に確認し、放送されていなければ、メモリ上のサービス情報のデータを消去する。
【００２２】
また本発明は、メモリにストアされたサービスを選択するサービス選択手段と、
サービス選択手段の出力に応答し、その選択されたサービスが出力されるように、チューナまたはデコード手段の少なくとも１つを制御する手段とを含むことを特徴とする。
【００２３】
こうしてメモリにストアされたサービス選択手段によって選択し、その選択されたサービスを、チューナまたはデコード手段の少なくとも１つを制御して２次元表示面を有する表示手段によって、映像を表示し、またはスピーカなどの音響出力手段によって出力する。こうして複数チャネルのデジタル放送信号が含まれる１つの搬送波周波数の受信時、希望するサービス情報を容易に選択して受信することができる。
【００２４】
【発明の実施の形態】
図１は、本発明の実施の一形態のデジタル放送受信装置１の全体の構成を示すブロック図である。アンテナ２で受信された地上波放送または衛星放送の変調された搬送波は、チューナ３で同調されて受信され、復調回路４で復調されてデジタル放送信号が得られる。このデジタル放送信号は、トランスポート・ストリーム（Ｔｒａｎｓｐｏｒｔ　Ｓｔｒｅａｍ、略称ＴＳ）デコード手段５に与えられてＴＳが得られ、このＴＳは、映像デコード手段６に与えられてライン７から映像データが得られ、またＴＳは音声デコード手段８に与えられ、ライン９から音声データが得られる。マイクロコンピユータなどによって実現される処理回路１１には、バス１２を介してチューナ３、復調回路４、ＴＳデコード手段５、映像デコード手段６、音声デコード手段８に接続され、さらに映像データを演算処理して提示する提示処理回路１３に接続される。提示処理回路１３からの映像信号は、液晶または陰極線管などによって実現される表示手段１４に与えられて２次元表示される。音声デコード手段８からの音声データはスピーカ２０を音響駆動する。
【００２５】
処理回路１１にはまたバス１２を介して、ランダムアクセスメモリ１６、リードオンリメモリ１７、公衆電話回線などと処理回路１１が通信を行うためのモデム１８が接続され、さらに入出力回路１９を介して遠隔操作入力手段２１に接続される。
【００２６】
デジタル放送信号は、ＭＰＥＧ圧縮方式、たとえばいわゆるＭＰＥＧ２またはＭＰＥＧ４などの方式によって映像データ、音声データおよびその他のデータが符号化されて圧縮され、多重化されて構成される。ＴＳは、複数の番組の映像データと音声データなどとが多重化されて構成される。デジタル放送信号の変調方式は、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）または（Ｑｕａｄｒａｔｕｒｅ　Ｐｈａｓｅ　Ｓｈｉｆｔ　Ｋｅｙｉｎｇ）ＱＰＳＫなどであってもよい。
【００２７】
図２は、受信される或１つの搬送波周波数ｆ１に対応する複数のチャネルＣＨ１１〜ＣＨ１ｎを説明するための図である。複数の搬送波周波数のうち、１つの搬送波周波数ｆ１を有する放送が受信され、その搬送波周波数ｆ１を有するデジタル放送信号は、複数ｎのチャネルＣＨ１１〜ＣＨ１ｎ毎に、サービス情報ＳＩが含まれる。本発明に従えば、これらの各チャネルＣＨ１１〜ＣＨ１ｎ毎の各サービス情報ＳＩが、メモリ１６にストアされてプリセットされる。こうしてプリセットされたメモリ１６のストア内容は、表示手段１４によって表示され、各サービス情報ＳＩに含まれる、たとえば番組名などが表示される。操作者は操作入力手段２１を操作し、希望する番組を選択し、表示手段１４にて映像を表示出力させ、またスピーカ２０によって音声出力をすることができる。
【００２８】
表示手段１４にはまた、押釦などの操作入力手段２３が設けられる。この操作入力手段２３は、バス１２に接続され、処理回路１１に、操作入力手段２３の出力が与えられる。
【００２９】
図３は、表示手段１４と操作入力手段２３とが一体化されて構成される表示操作装置２４の正面図である。これらの表示手段１４と操作入力手段２３とは、表示操作装置２４の共通なケーシング２５に備えられる。表示手段１４の２次元表示面２６には、１つの搬送波周波数ｆ１に含まれる複数ｎ（たとえばこの実施の形態ではｎ＝５）のチャネルＣＨ１１〜ＣＨ１ｎ毎のサービス情報に関するテレビジョン放送ＴＶ１〜ＴＶ３、ラジオ放送ＲＡＤＩＯ　１，ＲＡＤＩＯ　２が表示される。さらにこの１つの搬送波周波数には、データ放送などのチャネルが含まれてもよい。ケーシング２５の表示面の下方には、搬送波周波数ｆ１などを個別的に選択するための複数の各搬送波周波数に対応した押釦Ｆ１〜Ｆ８が備えられる。
【００３０】
ケーシング２５にはまた、表示面２６の一側方に、チャネルを選択するためのスイッチである一対のチャネル選択押釦２７，２８が備えられ、さらに各チャネルラインにおけるサービス情報の番組を選択するためのスイッチである一対のサービス選択押釦３１，３２が備えられる。これらの押釦Ｆ１〜Ｆ８；２７，２８；３１，３２は、操作入力手段２３を構成する。押釦２７，２８を押圧操作するたびに、チャネルが１つずつ順次的に変化して選択される。また押釦３１，３２を押圧操作するたびに選択される番組が１つずつ変化する。
【００３１】
図４は、１つの搬送波周波数に含まれるデジタル放送信号の構成を示す図である。１つの搬送波周波数のデジタル放送信号に含まれる複数のチャネルのうちの１つのＦＩＣ（Ｆａｓｔ　Ｉｎｆｏｒｍａｔｉｏｎ　Ｃｈａｎｎｅｌ）には、各チャネルＣＨ１１，ＣＨ１２，…毎のサービス情報ＳＩである番組名称、放送日時、番組表ＥＰＧおよび番組の内容が含まれる。こうして搬送波周波数ｆ１，ｆ２，ｆ３，…毎に含まれる複数の各チャネルＣＨ１１，ＣＨ１２，…；ＣＨ２１，ＣＨ２２，…；ＣＨ３１，ＣＨ３２，…；…には、１または複数のサービス情報Ａ１１１，Ａ１１２，…；Ａ１２１，Ａ１２２，…：Ｂ２１１，Ｂ２１２，…；Ｂ２２１，Ｂ２２２；…：Ｃ３１１，Ｃ３２２，…；Ｃ３２１，Ｃ３２２，…；…：…が含まれる。このようなデジタル放送信号の構成を、表１に示す。
【００３２】
【表１】
2004120115.tif 000003
【００３３】
図５は、処理回路１１の１つの搬送波周波数のデジタル放送信号に含まれる１または複数のチャネル毎のサービス情報ＳＩをメモリ１６にストアするための動作を説明するためのフローチャートである。ステップａ１において操作入力手段２１または２３に含まれる押釦を操作することによって、処理回路１１はチューナ３の受信周波数を順次的に変化して走査し、受信電界強度が予め定める値以上であって、大きい搬送波周波数のデジタル放送信号を受信する。この受信したデジタル放送信号に含まれるトランスポート・ストリーム（Ｔｒａｎｓｐｏｒｔ　Ｓｔｒｅａｍ、略称ＴＳ）に存在する各チャネル毎のサービス情報を、ＴＳデコード手段５の出力を解析して、そのサービス情報をメモリ１６にストアしてプリセットする。
【００３４】
デジタル放送信号は、プログラム・ストリームＰＳと、トランスポート・ストリームＴＳとの２種類が含まれる。ＰＳは、１つの番組の映像データと音声データなどを多重化するデータである。ＴＳは、複数の番組の映像データと音声データなどを多重化するデータである。
【００３５】
こうして１つの搬送波周波数のデジタル放送信号に含まれる全てのチャネルのサービス情報がメモリ１６にストアされた後、次のステップａ２では、さらに受信すべき搬送波周波数を変化して走査する。この走査中、搬送波周波数が存在するとき、ステップａ３では、その新たな搬送波周波数のデジタル放送信号のＴＳを受信し、ステップａ１に戻る。こうして新たな搬送波周波数のＴＳに含まれる全てのチャネルのサービス情報をさらに、メモリ１６にストアする。こうしてチューナ３によって受信可能な搬送波周波数のデジタル放送信号の受信を、ステップａ４で終了する。
【００３６】
図６は、サービス情報をメモリ１６にストアするための前述の図５のステップａ１における処理回路１１の具体的な動作を説明するためのフローチャートである。ステップｂ１では、受信された１つの搬送波周波数のデジタル放送信号の受信データであるＴＳから、そのＴＳに含まれる各チャネル毎のサービス情報を処理回路１１はＴＳデコード手段５から取得する。処理回路１１は、こうして得られた各チャネル毎のサービス情報を、メモリ１６にストアする。１つのチャネルに含まれる全てのサービス情報のうち、メモリ１６にストアすべきサービス情報が残っているとき、ステップｂ３からステップｂ４に移り、残のサービス情報についてストアすべきことを決定し、ステップｂ１において、その残りのサービス情報をメモリ１６にストアする。こうして各チャネル毎の全てのサービス情報を、メモリ１６にストアし、一連のプリセット動作をステップｂ５で終了する。
【００３７】
サービス情報がメモリ１６にストアされた１または複数の搬送波周波数ｆ１，ｆ２，…は、操作入力手段２３の図３に示される押釦Ｆ１，Ｆ２，…に個別的に対応してリセットされる。
【００３８】
図７は、メモリ１６への前述のプリセット動作を終了した後、表示手段１４およびスピーカ２０によって番組を取得するための処理回路１１の動作を説明するためのフローチャートである。ステップｃ１において、操作者は搬送波周波数選択のための押釦Ｆ１〜Ｆ８の１つを押圧操作する。押釦Ｆｉ（ただしｉ＝１〜８のうちの１つ）が選択されることによって、その搬送波周波数ｆｉに含まれるデジタル放送信号の全てのチャネルがメモリ１６から読出されてメモリ図３の表示面２６のように表示される。次に、操作者は、希望するチャネルを、チャネル選択用押釦２７，２８の操作によって選択する。これによって選択されたチャネルは、図３の表示面２６において、斜線を施して示され、この実施の形態では、たとえば「１０１　ＴＶ２」のチャネルである。次にこの選択されたチャネルのサービス情報が表示手段１４の表示面２６に表示される。操作者はサービス情報の選択用押釦３１，３２を操作し、希望する番組を決定する。
【００３９】
こうしてステップｃ１では、押釦Ｆ１〜Ｆ８；２７，２８；３１，３２によって選択された番組の内容が、決定される。ステップｃ２では、こうして決定されたサービス情報から、そのサービスが放送されているデジタル放送信号のＴＳをチューナ３によって受信し、復調回路４によって復調し、ＴＳデコード手段５によってデコードする。
【００４０】
ステップｃ３において、受信して得られたＴＳから、前述の指定されたサービスを選択し、その番組内容は、表示手段１４によって音声データの表示出力が行われるとともに、スピーカ２０によって音声データの出力が行われる。こうして選択された各搬送波周波数、チャネルおよびサービス情報の組合せ毎に、操作入力手段２３に含まれる押釦３４の操作回数に対応して、順次的に選択して出力することができる。
【００４１】
図８は、操作者の希望する搬送波周波数、チャネルおよびサービス情報の組合せを、メモリ１６にプリセットする本発明の実施の他の形態における処理回路１１の動作を説明するためのフローチャートである。ステップｄ１において操作者によるプリセット操作があるかどうか判断され、プリセット操作があればステップｄ２に移り、なければ処理を終える。プリセット操作は予め定められた操作でたとえばプリセット押釦の操作や押釦Ｆ１〜Ｆ８の長押し操作（たとえば２秒以上押し続けられた場合）等が考えられる。ステップｄ２では、押釦Ｆ１〜Ｆ８のどの押釦が押圧操作されたか入力する。そしてステップｄ３では、出力中の内容を有する番組の搬送波周波数、チャネルおよびサービス情報を、各押釦Ｆ１〜Ｆ８に対応したメモリにストアする。したがってプリセットされた押釦を操作すれば、これらの押釦Ｆ１〜Ｆ８に対応する搬送波周波数、チャネルおよびサービス情報の表２の組合せの番組内容を、即座に出力することが可能になる。
【００４２】
【表２】
2004120115.tif 000004
【００４３】
図９は、本発明の実施の他の形態における希望するサービス情報を出力するための処理回路１１の動作を説明するためのフローチャートである。操作入力手段２３によって、出力すべきサービス情報、たとえば番組名などを識別番号などによってステップｅ１において入力し、これによってチューナ３は、１つの搬送波周波数のデジタル放送信号を受信し、その受信したデジタル放送信号に含まれる受信データであるＴＳから、各チャネルのサービス情報を取得して検索する。この希望するサービス情報は、テレビジョン放送のサービス情報であるものとする。ステップｅ２では、ステップｅ１で取得した１つの搬送波周波数に含まれる複数の各チャネルに含まれる情報がテレビジョン放送の番組サービスであるかどうかが判算され、そうでなければ、次のチャネルのサービスを取得すべきとき、ステップｅ４に移り、選択されたサービスを検索すべきＴＳの情報を処理回路１１で受け取り、次にステップｅ５では、その選択されたサービスがＴＳに存在するかどうかを判断する。選択されたサービスが、他のチャネルに存在すれば、あるいはまた、他の搬送波周波数を変化して、その新たに選択した搬送波周波数のデジタル放送信号に含まれる複数の各チャネル毎のサービス情報に存在すれば、ステップｅ３で、そのサービスの情報、すなわち搬送波周波数、チャネルおよびサービス情報の組合せを取得する。こうして得られた搬送波周波数、チャネルおよびサービス情報の組合せは、メモリ１６にストアされる。したがって操作入力手段２３に設けられる各サービス毎に対応して予め準備された押釦を操作することによって、その押釦に個別的に対応した周波数、チャネルおよびサービス情報の組合せの番組の内容を、表示手段１４〜スピーカ２０によって出力することができる。こうして操作性がさらに向上される。
【００４４】
図１０は、本発明の実施の他の形態の表示操作装置２４の他の表示形態を示す正面図である。受信したデジタル放送信号に臨時ニュースなどの放送時間が不定期な臨時サービスが存在するとき、その臨時サービスに対応する臨時サービス情報を、表示手段１４の表示面２６の上方に重ねて配置された透光性の２次元平面状スイッチ入力手段３６の操作領域３７，３８を操作して、臨時サービスのメモリ１６へのプリセットをするかしないかを選択する。臨時サービスのメモリ１６へのプリセットをするために、操作領域３７が操作されると、処理回路１１は、受信したデジタル放送信号に含まれるサービス情報のうち、臨時サービス情報を検索し、他のサービス情報とともにストアする。操作領域３８が操作されて臨時サービスを出力せず、メモリ１１にプリセットしないとき、処理回路１１は、受信したデジタル放送信号の中のサービス情報に含まれる臨時サービス情報が存在しても、そのような臨時サービス情報をメモリ１６にストアすることなく、残余のサービス情報だけをメモリ１６にストアする。
【００４５】
図１１は、図１０に示される操作領域３７をスイッチ入力手段３６の押圧操作によって操作して、受信したデジタル放送信号に含まれる臨時サービス情報をメモリ１６にストアするための処理回路１１の動作を説明するためのフローチャートである。ステップｇ１において、操作領域３７のスイッチ入力手段３６が操作されているものと判断されると、その受信された搬送波周波数のデジタル放送信号に含まれているＴＳのサービス情報ＳＩを取得する。この受信したサービス情報ＳＩには、臨時サービス情報をも含む。
【００４６】
ステップｇ２では、受信して取得したサービス情報ＳＩに、臨時サービス情報が含まれているかどうかが判断される。臨時サービス情報が含まれていなければ、ステップｇ３では、さらに次のサービス情報を検索することになる。ステップｇ４では、受信した搬送波周波数のデジタル放送信号中のＴＳに含まれるサービス情報をさらに取得し、ステップｇ５で、次のサービス情報が存在しなくなるまで検索を続ける。こうして受信した搬送波周波数のデジタル放送信号の臨時サービス情報を含む全てのサービス情報を取得し、ステップｇ６で、メモリ１６にストアする。したがって操作者は操作入力手段２３を操作し、臨時サ−ビス情報に基づき、表示手段１４およびスピーカ２０によって出力して取得することができる。図１１の動作では、操作者はスイッチ入力手段３６の操作領域３７，３８の操作をしないとき、処理回路１１は自動的に、臨時サービス情報をメモリ１６にストアする動作を行う。
【００４７】
図１２は、操作者が臨時サービス情報を必要とせず、表示領域３８のスイッチ入力手段３６が操作されたときにおける処理回路１１の動作を説明するためのフローチャートである。ステップｈ１では、或搬送波周波数のデジタル放送信号を受信し、そのデジタル放送信号に含まれる受信データであるＴＳから、サービス情報を取得し、その取得したサービス情報が臨時サービスであるとき、その臨時サービスのプリセットをするかどうかが、表示領域３７，３８のスイッチ押圧操作によってプリセットするかどうかが判断される。メモリ１６にプリセットしないことは、操作領域３８が押圧操作されるときには、その臨時サービス情報をメモリ１６にストアすることなくステップｈ５に移り、新たなサービス情報を、ＴＳから取得する。こうしてさらにサービス情報が存在するかどうかがステップｈ６において判断され、引き続いて取得すべきサービス情報が存在するとき、ステップｈ４では、次のサービス情報の取得を行い、ステップｈ２に移る。
【００４８】
図１３は、臨時サービス情報に関する処理回路１１の臨時サービス情報を消去する動作を説明するためのフローチャートである。ステップｊ１において臨時サービス情報を、受信したデジタル放送信号から取得したとき、ステップｊ２では、そのステップｊ１の判断時点で、臨時サービス情報の番組の内容が放送されているかどうかを判断し、放送していないならば、ステップｊ４では、メモリ１６における臨時サービス情報を削除して消去する。臨時サービス情報の番組が放送されていいものと、ステップｊ２で判断されたとき、ステップｊ３では、その受信しているデジタル放送信号のＴＳに、他の臨時サービス情報が存在するかが判断される。他の臨時サービス情報がさらに存在するとき、ステップｊ１に戻る。デジタル放送信号に臨時サービス情報が含まれていないことがステップｊ３で判断されると、ステップｊ５では、デジタル放送信号の一連の検索動作を終了する。こうしてステップｊ６では再び予め定める一定時間を、ステップｊ１に移り、こうして臨時サービス情報が放送されていないときには、その臨時サービス情報をメモリ１６から自動的に削除することが可能になる。
【００４９】
【発明の効果】
本発明によれば、搬送波周波数に含まれる複数チャネルのサービス情報を抽出してメモリにプリセットしてストアしておくので、希望する各チャネルの番組などのサービスを取得することが容易に可能となる。
【図面の簡単な説明】
【図１】本発明の実施の一形態のデジタル放送受信装置１の全体の構成を示すブロック図である。
【図２】受信される或１つの搬送波周波数ｆ１に対応する複数のチャネルＣＨ１１〜ＣＨ１ｎを説明するための図である。
【図３】表示手段１４と操作入力手段２３とが一体化されて構成される表示操作装置２４の正面図である。
【図４】１つの搬送波周波数に含まれるデジタル放送信号の構成を示す図である。
【図５】処理回路１１の１つの搬送波周波数のデジタル放送信号に含まれる１または複数のチャネル毎のサービス情報をメモリ１６にストアするための動作を説明するためのフローチャートである。
【図６】サービス情報をメモリ１６にストアするための前述の図５のステップａ１における処理回路１１の具体的な動作を説明するためのフローチャートである。
【図７】メモリ１６への前述のプリセット動作を終了した後、表示手段１４およびスピーカ２０によって番組を取得するための処理回路１１の動作を説明するためのフローチャートである。
【図８】操作者の希望する搬送波周波数、チャネルおよびサービス情報の組合せを、メモリ１６にプリセットする本発明の実施の他の形態における処理回路１１の動作を説明するためのフローチャートである。
【図９】本発明の実施の他の形態における希望するサービス情報を出力するための処理回路１１の動作を説明するためのフローチャートである。
【図１０】本発明の実施の他の形態の表示操作装置２４の他の表示形態を示す正面図である。
【図１１】図１０に示される操作領域３７をスイッチ入力手段３６の押圧操作によって操作して、受信したデジタル放送信号に含まれる臨時サービス情報をメモリ１６にストアするための処理回路１１の動作を説明するためのフローチャートである。
【図１２】操作者が臨時サービス情報を必要とせず、表示領域３８のスイッチ入力手段３６が操作されたときにおける処理回路１１の動作を説明するためのフローチャートである。
【図１３】臨時サービス情報に関する処理回路１１の臨時サービス情報を消去する動作を説明するためのフローチャートである。
【図１４】典型的な先行技術を示す図である。
【符号の説明】
１　デジタル放送受信装置
２　アンテナ
３　チューナ
４　復調回路
５　ＴＳデコード手段
６　映像デコード手段
８　音声デコード手段
１１　処理回路
１３　提示処理回路
１４　表示手段
１９　入出力回路
２０　スピーカ
２１　遠隔操作入力手段
２３　操作入力手段
２５　ケーシング
２６　表示面
２７，２８　チャネル選択押釦
３１，３２　サービス選択押釦
【図１】
2004120115.tif 000005
【図２】
2004120115.tif 000006
【図３】
2004120115.tif 000007
【図４】
2004120115.tif 000008
【図５】
2004120115.tif 000009
【図６】
2004120115.tif 000010
【図７】
2004120115.tif 000011
【図８】
2004120115.tif 000012
【図９】
2004120115.tif 000013
【図１０】
2004120115.tif 000014
【図１１】
2004120115.tif 000015
【図１２】
2004120115.tif 000016
【図１３】
2004120115.tif 000017
【図１４】
2004120115.tif 000018